(57)【要約】【課題】  リセット動作の迅速化と誤操作による不所望なリセットの防止を図る。【解決手段】  露出補正ボタンを操作しながらコマンドダイアルを操作することで、複数の選択対象からいずれかを選択するカメラにおいて、撮影者の指示に基づいて、露出補正ボタンにリセット機能を付与するか否かを選択し、リセット機能が付与されているときに露出補正ボタンが単独で操作されると、複数の選択対象のうち予め設定された特定の対象を選択するリセット動作を行い、リセット機能が付与されていないときには、第１の操作部材が単独で操作されてもリセット動作を禁止する。【選択図】        図９
2005121698.tif 000002
【特許請求の範囲】
【請求項１】
第１の操作部材を操作しながら第２の操作部材を操作することで、複数の選択対象からいずれかを選択するカメラにおいて、
撮影者の指示に基づいて、前記第１の操作部材にリセット機能を付与するか否かを選択する機能選択装置と、
前記リセット機能が付与されているときに前記第１の操作部材が単独で操作されると、前記複数の選択対象のうち予め設定された特定の対象を選択するリセット動作を行い、前記リセット機能が付与されていないときには、前記第１の操作部材が単独で操作されても前記リセット動作を禁止する制御装置を備えることを特徴とするカメラ。
【請求項２】
前記第１の操作部材は押圧式操作部材であり、該第１の操作部材を押圧しながら前記第２の操作部材を操作することで前記選択を行い、前記リセット動作は、該第１の操作部材を押圧した後に第２の操作部材を操作することなく押圧解除することで達成されることを特徴とする請求項１に記載のカメラ。
【請求項３】
前記第２の操作部材の単独操作が有効とされ、前記第１の操作部材に前記リセット機能が付与されているときと付与されていないときとで、前記第２の操作部材の単独操作で達成される機能が異なることを特徴とする請求項１または２に記載のカメラ。
【請求項４】
第１の操作部材を操作しながら第２の操作部材を操作することで、露出補正量を選択するカメラにおいて、
撮影者の指示に基づいて、前記第１の操作部材にリセット機能を付与するか否かを選択する機能選択装置と、
前記リセット機能が付与されているときに前記第１の操作部材が単独で操作されると、前記露出補正量を所定値とするリセット動作を行い、前記リセット機能が付与されていないときには、前記第１の操作部材が単独で操作されても前記リセット動作を禁止する制御装置を備えることを特徴とするカメラ。
【請求項５】
前記第１の操作部材に前記リセット機能が付与されているときには、前記第２の操作部材の単独操作で露出補正量を選択可能とし、前記第１の操作部材に前記リセット機能が付与されていないときには、第２の操作部材の単独操作で露出補正量の選択以外の選択動作を行わしめるよう構成したことを特徴とする請求項４に記載のカメラ。
【請求項６】
第１の操作部材を操作しながら第２の操作部材を操作することで、オートブラケティング撮影におけるパラメータを選択するカメラにおいて、
撮影者の指示に基づいて、前記第１の操作部材にリセット機能を付与するか否かを選択する機能選択装置と、
前記リセット機能が付与されているときに前記第１の操作部材が単独で操作されると、前記パラメータを所定値とするリセット動作を行い、前記リセット機能が付与されていないときには、前記第１の操作部材が単独で操作されても前記リセット動作を禁止する制御装置を備えることを特徴とするカメラ。
【請求項７】
前記第１の操作部材に前記リセット機能が付与されているときには、前記第２の操作部材の単独操作で前記パラメータを選択可能とし、前記第１の操作部材に前記リセット機能が付与されていないときには、第２の操作部材の単独操作で前記パラメータの選択以外の選択動作を行わしめるよう構成したことを特徴とする請求項６に記載のカメラ。
【発明の詳細な説明】
【技術分野】
【０００１】
本発明は、ある操作部材を操作しながら他の操作部材を操作することで機能や数値の選択を行うカメラに関する。
【背景技術】
【０００２】
カメラにおいて、撮影パラメータや機能を撮影者が選択設定する際に、特定のボタンを押しながらダイアルを回転させる、という操作方法がある。具体例としては、露出補正量を設定する際に、露出補正ボタンを押しながらコマンドダイアルを回転して露出補正量を選択し、露出補正ボタンの操作を解除することで、選択した露出補正量が確定されるというものである。
【０００３】
しかしながら、上記のようにダイアルの回転量に応じて選択を行う場合、それを元の状態にリセットするには、ボタンを押しながらダイアルを逆方向に同量だけ操作しなければならず、リセットに手間がかかる。そこで、ボタンの単独操作により機能を一発でリセットできるようにしたカメラが提案されている（例えば、特許文献１参照）。このカメラでは、上述と同様に露出補正ボタンを押しながらコマンドダイアルを回転して露出補正量を選択する一方、露出補正量が設定されている状態で露出補正ボタンを単独操作すると、露出補正量がゼロにリセットされる。
【０００４】
【特許文献１】特開平７−１２８７０１号公報
【発明の開示】
【発明が解決しようとする課題】
【０００５】
上述したようにボタンの単独操作で機能が一発リセットされる構成では、リセットの意志を持ってボタンを操作した場合はよいが、不用意にボタンに触れてこれを押してしまったような場合に、撮影者の意図に反して機能がリセットされるという不都合がある。
【課題を解決するための手段】
【０００６】
請求項１〜３の発明は、第１の操作部材を操作しながら第２の操作部材を操作することで、複数の選択対象からいずれかを選択するカメラに適用される。
そして、撮影者の指示に基づいて、第１の操作部材にリセット機能を付与するか否かを選択する機能選択装置と、リセット機能が付与されているときに第１の操作部材が単独で操作されると、複数の選択対象のうち予め設定された特定の対象を選択するリセット動作を行い、リセット機能が付与されていないときには、第１の操作部材が単独で操作されてもリセット動作を禁止する制御装置を備える。
特に請求項２の発明は、第１の操作部材が押圧式操作部材であり、第１の操作部材を押圧しながら第２の操作部材を操作することで上記選択を行い、リセット動作は、第１の操作部材を押圧した後に第２の操作部材を操作することなく押圧解除することで達成されるようにしたものである。
請求項３の発明は、第２の操作部材の単独操作を有効とし、第１の操作部材にリセット機能が付与されているときと付与されていないときとで、第２の操作部材の単独操作で達成される機能が異なるようにしたものである。
請求項４，５の発明は、第１の操作部材を操作しながら第２の操作部材を操作することで、露出補正量を選択するカメラに適用され、撮影者の指示に基づいて、前記第１の操作部材にリセット機能を付与するか否かを選択する機能選択装置と、リセット機能が付与されているときに第１の操作部材が単独で操作されると、露出補正量を所定値とするリセット動作を行い、リセット機能が付与されていないときには、第１の操作部材が単独で操作されてもリセット動作を禁止する制御装置を備える。
特に請求項５の発明は、第１の操作部材にリセット機能が付与されているときには、第２の操作部材の単独操作で露出補正量を選択可能とし、第１の操作部材に前記リセット機能が付与されていないときには、第２の操作部材の単独操作で露出補正量の選択以外の選択動作を行わしめるよう構成したものである。
請求項６，７の発明は、第１の操作部材を操作しながら第２の操作部材を操作することで、オートブラケティング撮影におけるパラメータを選択するカメラに適用され、撮影者の指示に基づいて、前記第１の操作部材にリセット機能を付与するか否かを選択する機能選択装置と、リセット機能が付与されているときに第１の操作部材が単独で操作されると、パラメータを所定値とするリセット動作を行い、リセット機能が付与されていないときには、第１の操作部材が単独で操作されてもリセット動作を禁止する制御装置を備える。
特に請求項７の発明は、第１の操作部材にリセット機能が付与されているときには、第２の操作部材の単独操作でパラメータを選択可能とし、第１の操作部材にリセット機能が付与されていないときには、第２の操作部材の単独操作でパラメータの選択以外の選択動作を行わしめるよう構成したものである。
【発明の効果】
【０００７】
本発明によれば、第１の操作部材を操作しながら第２の操作部材を操作することで、複数の選択対象からいずれかを選択するカメラにおいて、第１の操作部材にリセット機能を付与するか否かを撮影者の指示に基づいて選択し、リセット機能が付与されているときに第１の操作部材が単独で操作されると、複数の選択対象のうち予め設定された特定の対象を選択するリセット動作を行い、リセット機能が付与されていないときには、第１の操作部材が単独で操作されてもリセット動作を禁止するようにしたので、撮影者に応じて迅速なリセット動作と誤操作による不所望なリセット動作を禁止できる。
【発明を実施するための最良の形態】
【０００８】
−第１の実施形態−
図１〜図９により本発明の第１の一実施の形態を説明する。
図１は本実施形態におけるカメラの上面図である。カメラの上面には、液晶表示部１と、露出補正ボタン２と、カスタム設定切換ボタン３と、カスタム設定レバー４とが設けられるとともに、背面にはコマンドダイアル５が設けられている。液晶表示部１は、図２に示すように表示ドライバ１２を介してＣＰＵ１１に接続され、ＣＰＵ１１からの指示に基づいて種々の表示を行う。また各ボタンやダイアルの操作状況はＣＰＵ１１に入力され、ＣＰＵ１１は、それらの入力情報に基づいて以下に示すような制御を行う。
なお、図２は本発明に関連する構成要素のみを示し、他は図示を省略してある。
【０００９】
まず露出補正量の設定について図３〜図６を参照して説明する。
図１はカメラが通常モード（撮影を行うモード）にある状態を示し、露出補正は設定されていない。表示部１には、シャッタ秒時や絞り値、駒数、電池残量などが表示されている。露出補正量を設定するには、露出補正ボタン２を押しながらコマンドダイアル５を回転操作する。露出補正ボタン２が押されると、ＣＰＵ１１は図３に示すように露出補正表示２１、および現在の露出補正量を示す表示２２を表示部１に表示する。図３は現在の露出補正量がゼロ（露出補正なし）の状態を示している。
【００１０】
露出補正ボタン２を押したままコマンドダイアル５を回転すると、ＣＰＵ１１は、コマンドダイアル５が所定方向に単位回転角だけ回転するごとに、露出補正量（段数）を、例えば０→０．５→１→・・・のように１／２段きざみで変更するとともに、その変更に応じて露出補正量の表示２２を変更する。コマンドダイアル５が逆方向に回転された場合には、同様に０→−０．５→−１→・・・のようにアンダー側に変更される。図４は露出補正量を−０．５とした例を、図５は同様に−１とした例を示しているが、この段階では未だ露出補正量の確定には至っていない。
【００１１】
露出補正ボタン２の操作を解除すると（指を離すと）、そのとき表示されている露出補正量が撮影時の露出補正量として確定され、図６の通常モードに戻る。図６において、図１との違いは表示部１に露出補正表示２１が表示されている点である。なお、表示２５はカスタム設定に関するものであり、これについては後述する。
【００１２】
露出補正をリセットする（露出補正量＝０の状態に戻す）には、１つの方法として、露出補正ボタン２を押しながらコマンドダイアル５を露出補正量選択時とは逆に操作すればよい。これによりコマンドダイアル５の単位回転角ごとに露出補正量が、・・・→１→０．５→０のように変化し、０のときに露出補正ボタン２の操作を解除することでリセットとなる。しかしながら、この方法では露出補正のリセットに手間がかかり、特に設定した露出補正量の絶対値が大きいときには、リセットの際のコマンドダイアル５の回転角も必然的に多くなる。例えば段階露出等で露出補正を頻繁に行う撮影者は、露出補正をリセットする機会もまた多いので、より簡単なリセット方法が望まれる。
【００１３】
そこで本実施形態では、露出補正ボタン２を押し離す操作だけで露出補正をリセットできるようにした。ここでいう「押し離す」とは、押圧操作した後に、コマンドダイアル５を操作せずに押圧操作を解除することを意味する。これにより、そのときの露出補正量に拘わらず一発操作で露出補正を瞬時にリセットできるので、露出補正を多用する撮影者にとって非常に好都合である。
【００１４】
しかしながら、一発操作で露出補正をリセットできるようにすると、誤操作等により露出補正ボタン２が不用意に操作され、撮影者の意図に反して露出補正がリセットされる可能性が高くなる。特に露出補正をあまり行わない撮影者が露出補正を行う場合には、不慣れなためについうっかり露出補正ボタン２を押し離してしまい、本人が気づかないうちに露出補正がリセットされていた、というようなケースもあり得る。
【００１５】
かかる問題に対処すべく、本実施形態では、露出補正ボタン２に上記一発リセット機能を持たせるか否かをカスタム設定により選択できるようにした。以下、その詳細を説明する。
【００１６】
図１に示す通常モードでは、カスタム設定レバー４が非カスタム設定位置にあり、これを図７に示すカスタム設定位置に切換えることでカスタム設定モードとなる。このとき、表示部１にはカスタム設定種類表示２３と、カスタム設定オン・オフ表示２４とが表示される。カスタム設定種類表示２３は、カスタム設定が可能な複数の項目のうち、選択されている項目を示す。カスタム設定オン・オフ表示２４は、「０」であればカスタム設定がなされていない、つまり初期設定のままであることを示し、「０」以外であれば、ユーザによって何らかのカスタム設定がなされていることを示す。
【００１７】
図７の状態でコマンドダイアル５を回転操作すると、カスタム設定種類表示２３が１→２→３→・・・のように変わり、カスタム設定項目を選択することができる。目的の項目が表示された状態でカスタム設定切換ボタン３を押し離すと、図８に示すようにカスタム設定オン・オフ表示が「０」から「１」に変わるとともに、カスタム設定がなされたことを示すカスタム設定表示２５が表示される。カスタム設定を解除するには、オン・オフ表示を「０」になるまでカスタム設定切換ボタン３を操作すればよい。このときカスタム設定表示２５は消灯する。カスタム設定あるいはその解除を行った後、カスタム設定レバー４を非カスタム設定位置に操作すると、通常モードに戻る。
【００１８】
ここで、図８はカスタム設定種類表示２３が「１」の例を示しているが、この「１」はカスタム設定項目としての「露出補正ボタン２のリセット機能のオン／オフ」を表すものとする。そして、図８では更にオン・オフ表示２４が「１」となっているので、露出補正ボタン２にリセット機能が付与されている状態を示す。もしオン・オフ表示２４が「０」であれば、露出補正ボタン２にリセット機能が付与されていない初期設定状態を表す。
【００１９】
図９は露出補正に関連する処理の手順を示すフローチャートである。
ＣＰＵ１１は、通常モードにて露出補正ボタン２が操作されるとこのプログラムを起動する。まずステップＳ１でコマンドダイアル５の操作の有無を示すフラグをオフとするとともに、ステップＳ２で表示部１を露出補正表示とする（例えば、図３の表示）。続いてステップＳ３，Ｓ４のループを回り、露出補正ボタン２の操作が解除されるか、またはコマンドダイアル５が操作されるのを待つ。露出補正ボタン２の操作が解除される前にコマンドダイアル５が操作されると、ステップＳ５で上記フラグをオンし、ステップＳ６で露出補正量の変更およびそれに伴う表示の変更を行う。その詳細は図３〜図５で説明した通りである。その後、ステップＳ３に戻る。
【００２０】
ステップＳ２で露出補正ボタン２の操作が解除されたと判定された場合には、ステップＳ７でフラグの状態を判定する。フラグがオンということは、コマンドダイアル５の操作の後に露出補正ボタン２の操作が解除されたことを示し、この場合はステップＳ８で現在の露出補正量を実際の露出補正量として確定する。ただし、露出補正量がゼロであった場合には露出補正のリセットとなる。その後、ステップＳ９で通常モード表示を行って処理を終了させる。
【００２１】
一方、ステップＳ７でフラグがオフと判定された場合には、コマンドダイアル５が操作されずに露出補正ボタン２の操作が解除された、つまり露出補正ボタン２が押し離されたと判断し、ステップＳ１０に進む。この場合は、露出補正ボタン２に対するカスタム設定の有無によって処理が異なる。すなわち、露出補正ボタン２に上記リセット機能が付与されている場合には、ステップＳ１１で露出補正量をゼロに設定し（露出補正をリセットし）てステップＳ９に進み、リセット機能が付与されていない場合には、露出補正量は変更せずにステップＳ９に進む。
【００２２】
以上のように本実施形態では、露出補正ボタン２に露出補正のリセット機能を付与するか否かを撮影者が選べるようにした。したがって、露出補正を頻繁に行う撮影者はリセット機能を持たせることでカメラの使い勝手が向上し、一方、露出補正をあまり行わない撮影者や誤操作の多い撮影者は、露出補正ボタン２のリセット機能を解除しておけば、露出補正ボタン２が押し離されても露出補正はリセットされないので、意図に反したリセットが防止できる。なお、リセット機能が解除されているときには、通常どおり露出補正ボタン２を押しながらコマンドダイアル５を回転することで露出補正をリセットすることになる。
【００２３】
ところで、露出補正を頻繁に行う撮影者は、露出補正量の変更もまた簡単に行える方がよい。そこで、露出補正ボタン２にリセット機能を付与した場合には、コマンドダイアル５の単独操作で（露出補正ボタン２を押さなくても）露出補正量を変更できるようにすることで、使い勝手を更に向上させることができる。ただし、この場合はコマンドダイアル５の単独操作にもともと付与されていた他の機能は使用不能となる。例えば、カメラで設定可能な複数の露出モードのうち、絞り値およびシャッタ秒時の双方をカメラが決定するプログラムモードでは、コマンドダイアル５の単独操作でプログラムシフトを行えるようにすることが考えられる。プログラムシフトとは、露出量そのものは変えずに絞り値とシャッタ秒時の組み合わせをシフトしてゆくものである。しかし、上述したように露出補正ボタン２にリセット機能を付与したときには、コマンドダイアル５の単独操作は露出補正量の変更に割り振られるから、プログラムシフトは露出補正ボタン２にリセット機能が付与されていないときのみ有効となる。
【００２４】
なお、図１０に示すように、カメラの前部に他のコマンドダイアル（サブコマンドダイアル）３５を追加すれば、上述したプログラムシフト機能を損なわずに単独操作による露出補正量の変更を実現できる。すなわち、プログラムモードのときは、露出補正ボタン２にリセット機能が付与されているか否かに拘わらず、常にコマンドダイアル５の単独操作でプログラムシフトが行え、一方、露出補正ボタン２にリセット機能が付与されているときには、サブコマンドダイアル３５の単独操作で露出補正量の変更が行えるようにすればよい。
なお、プログラムモード以外の露出モードにおいても同様に構成することができる。
【００２５】
−第２の実施形態−
以上では露出補正ボタンに対して本発明を適用した例を示したが、本実施形態ではオートブラケティング（以下、ＢＫＴと記す）ボタンに適用した例を示す。なお、本実施形態を示す図１１〜図１６において、先の実施形態と同様の構成要素には同一の符号を付す。
【００２６】
図１１において、ＢＫＴボタン４１は、露出を自動的にずらしながら複数枚の撮影を行う、いわゆるＢＫＴ撮影に対する設定／リセットを行うためのものである。本実施形態では、カメラが演算した適正露出と、その適正露出よりも所定量だけアンダーの露出と、適正露出よりも所定量だけオーバーの露出とで合計３回の撮影を行うものとする。そして、オーバー側／アンダー側への露出ずらし量（以下、ＢＫＴ値と呼ぶ）を撮影者が設定できるようになっている。
【００２７】
ＢＫＴ値を設定するには通常モードにおいてＢＫＴボタン４１を押圧しながらコマンドダイアル５を回転操作する。ＢＫＴボタン４１を押圧すると、表示部の画面が図１１のように変化し、ＢＫＴ値のセット待ち状態となる。ＢＫＴボタン４１を押しながらコマンドダイアル５を所定方向に回転すると、所定回転角ごとにＢＫＴ値が１／２段きざみ変更され、それに応じてＢＫＴ値を示す表示２６（図１２）が０→０．５→１．０→・・・のように変化する。またＢＫＴボタン４１を押しながらコマンドダイアルを逆方向に回転すると、所定回転角ごとにＢＫＴ値が・・・→１．０→０．５→０のように変化する。図１２はＢＫＴ値が１．５にセットされた例を示している。またＢＫＴ値の変更に伴い、ＢＫＴモードを表す表示２７と、露出補正を示す表示２８が表示される（表示は点滅）。
【００２８】
ＢＫＴボタン４１の操作を解除すると（指を離すと）、そのとき表示されているＢＫＴ値が実際のＢＫＴ撮影におけるＢＫＴ値として確定され、図１３の通常モードに戻る。表示２７，２８はそのまま表示されている。２９は撮影カウンタ表示である。
【００２９】
この状態でレリーズ操作がなされると、まずカメラが演算した適正露出値で撮影が行われ、図１４の表示状態となる（撮影カウンタ表示２９が１だけアップ）。次いでレリーズ操作がなされると、上記適正露出値よりもＢＫＴ値だけアンダーの露出で撮影が行われ、図１５の表示状態となる。さらにレリーズ操作がなされると、上記適正露出値よりもＢＫＴ値だけオーバーの露出で撮影が行われ、図１６の表示状態となる。この３回の撮影でＢＫＴ撮影の終了となり、自動的にＢＫＴモードはリセットされ、表示２７，２８は非表示となる。
なお、ＢＫＴ撮影における撮影順序は制約を受けず、例えばアンダー→適正→オーバーの順であってもよいし、その逆でもよい。撮影枚数も３枚に限定されず、より多く撮影するものでもよいし、枚数を撮影者が指定できるものでもよい。
【００３０】
一連のＢＫＴ撮影が終了する前にＢＫＴモードを強制的にリセットするには、ＢＫＴボタン４１を押しながら、ＢＫＴ値がゼロになるまでコマンドダイアル５を上述とは逆に操作すればよいが、この方法ではリセットに手間がかかる。そこで、先の実施形態と同様に、カスタム設定によってＢＫＴボタン４１にリセット機能を付与できるようにする。そして、ＢＫＴボタン４１にリセット機能が付与されている場合には、ＢＫＴモード設定中にＢＫＴボタン４１の単独操作（押し離し）によりＢＫＴモードがリセットされる。したがって、ＢＫＴモードを設定したものの考え直した場合や、既定枚数に達する前に止めたいとき（例えば、適正露出とアンダー側だけで十分のとき）などにＢＫＴモードを迅速にリセットできる。
【００３１】
一方、リセット機能が付与されていないときには、ＢＫＴボタン４１が押し離されてもＢＫＴモードはリセットされないので、ＢＫＴ撮影をあまり行わない撮影者がＢＫＴ撮影を行うときに、意図に反してＢＫＴモードがリセットされることがない。なお、リセット機能が付与されていないときには、ＢＫＴボタン４１を押しながらコマンドダイアル５を回転することでＢＫＴモードをリセットすることになる。
【００３２】
なお以上では、露出補正量やＢＫＴ値の選択について説明したが、その他の数値の選択や、あるいは数値以外の項目を選択する場合も本発明を適用できる。例えば、複数のモードからいずれかを選択する際に、ボタンの押し離しによってある特定のモード（最も頻繁に使用すると考えられるモード）に一発リセットされるよう構成することで、使い勝手の向上が図れる。ただし、一発リセット機能は、上述と同様にそのボタンにリセット機能が付与されているときのみ有効となる。
【図面の簡単な説明】
【００３３】
【図１】第１の実施形態におけるカメラの上面図。
【図２】カメラの制御系を示すブロック図。
【図３】カメラの上面図であり、露出補正ボタンを押したときの状態を示す。
【図４】図３と同様の図であり、露出補正ボタンを押しながらコマンドダイアルを回転したときの状態を示す。
【図５】図４と同様の図であり、更にコマンドダイアルを回転した状態を示す。
【図６】図３と同様の図であり、露出補正ボタンから手を離したときの状態を示す。
【図７】カメラの上面図であり、カスタム設定モードにしたときの状態を示す。
【図８】図７と同様の図であり、カスタム設定項目選択時の状態を示す。
【図９】露出補正に係る処理の手順を示すフローチャート。
【図１０】サブコマンドダイアルを追加したカメラの上面図。
【図１１】第２の実施形態におけるカメラの上面図で、ＢＫＴボタンを押したときの状態を示す。
【図１２】図１と同様の図で、ＢＫＴボタンを押しながらコマンドダイアルを回転したときの状態を示す。
【図１３】図１と同様の図で、ＢＫＴモード設定完了の状態を示す。
【図１４】ＢＫＴモードで撮影を行ったときの状態を示す図。
【図１５】図１４と同様の図。
【図１６】図１４と同様の図。
【符号の説明】
【００３４】
１  液晶表示部
２  露出補正ボタン
３  カスタム設定切換ボタン
４  カスタム設定レバー
５  コマンドダイアル
１１  ＣＰＵ
【図１】
2005121698.tif 000003
【図２】
2005121698.tif 000004
【図３】
2005121698.tif 000005
【図４】
2005121698.tif 000006
【図５】
2005121698.tif 000007
【図６】
2005121698.tif 000008
【図７】
2005121698.tif 000009
【図８】
2005121698.tif 000010
【図９】
2005121698.tif 000011
【図１０】
2005121698.tif 000012
【図１１】
2005121698.tif 000013
【図１２】
2005121698.tif 000014
【図１３】
2005121698.tif 000015
【図１４】
2005121698.tif 000016
【図１５】
2005121698.tif 000017
【図１６】
2005121698.tif 000018